(57)【特許請求の範囲】
【請求項１】
サービング基地局によってサービングされる対象端末の動作方法であって、
前記サービング基地局と前記対象端末との間のチャネル情報と、隣接基地局と前記対象端末との間のチャネル情報と、を前記隣接基地局が把握するために用いられるフィードバックメッセージを生成するステップと、
前記隣接基地局に前記フィードバックメッセージを提供するステップとを有し、
前記フィードバックメッセージを生成するステップは、前記サービング基地局と前記対象端末との間のチャネル情報とプリアンブル又はパイロット信号とを結合して前記フィードバックメッセージを生成するステップであるか、
又は、前記サービング基地局と前記対象端末との間のチャネル情報をリファレンス信号に加工することによって前記フィードバックメッセージを生成するステップであることを特徴とする対象端末の動作方法。
【請求項２】
前記フィードバックメッセージを提供するステップは、共有チャネル又はランダムアクセスチャネルを用いて前記フィードバックメッセージを提供するステップであることを特徴とする請求項１に記載の対象端末の動作方法。
【請求項３】
前記サービング基地局と前記対象端末との間のチャネル情報を周期的又は非周期的に生成するステップを更に含むことを特徴とする請求項１に記載の対象端末の動作方法。
【請求項４】
前記隣接基地局によって引き起こされる干渉を前記対象端末が認知するステップを更に含み、
前記フィードバックメッセージを生成するステップは、前記認知された干渉に応じて前記フィードバックメッセージを生成するステップであるか、又は
前記フィードバックメッセージを提供するステップは、前記認知された干渉に応じて前記フィードバックメッセージを提供するステップであることを特徴とする請求項１に記載の対象端末の動作方法。
【請求項５】
前記隣接基地局によって引き起こされる干渉を前記対象端末が認知するステップは、前記サービング基地局から受信した信号に対する信号対干渉プラス雑音比（ＳＩＮＲ）、パケットエラー率、及びビットエラー率のうちの少なくとも１つに基づいて前記隣接基地局による干渉を認知するステップであることを特徴とする請求項４に記載の対象端末の動作方法。
【請求項６】
前記隣接基地局によって引き起こされる干渉を前記対象端末が認知するステップは、予め決定された特定レベルと前記隣接基地局による干渉との比較結果に基づいて前記隣接基地局による干渉を認知するステップであることを特徴とする請求項４に記載の対象端末の動作方法。
【請求項７】
前記サービング基地局、前記対象端末、及び前記隣接基地局は、時分割複信（ＴＤＤ）方式によって作動し、前記隣接基地局と前記対象端末との間のチャネル情報は、上りリンク及び下りリンクのそれぞれで同一なものと見なされることを特徴とする請求項１に記載の対象端末の動作方法。
【請求項８】
前記フィードバックメッセージは、前記隣接基地局が干渉制御を実行するために用いられることを特徴とする請求項１に記載の対象端末の動作方法。
【請求項９】
対象端末をサービングするサービング基地局と隣接し、特定端末をサービングする隣接基地局の動作方法であって、
前記隣接基地局と前記特定端末との間のチャネル情報と、前記隣接基地局と前記対象端末との間のチャネル情報と、を前記対象端末が把握するために用いられるフィードバックメッセージを生成するステップと、
前記対象端末に前記フィードバックメッセージを提供するステップと、を有し、
前記対象端末は、前記フィードバックメッセージに基づいて把握される、前記隣接基地局と前記特定端末との間のチャネル情報と、前記隣接基地局と前記対象端末との間のチャネル情報と、を前記サービング基地局に伝送し、
前記フィードバックメッセージを生成するステップは、前記隣接基地局と前記特定端末との間のチャネル情報とプリアンブル又はパイロット信号とを結合して前記フィードバックメッセージを生成するステップであるか、又は
前記隣接基地局と前記特定端末との間のチャネル情報をリファレンス信号に加工することによって前記フィードバックメッセージを生成するステップであることを特徴とする隣接基地局の動作方法。
【請求項１０】
前記フィードバックメッセージを提供するステップは、共有チャネル又はランダムアクセスチャネルを用いて前記フィードバックメッセージを提供するステップであることを特徴とする請求項９に記載の隣接基地局の動作方法。
【請求項１１】
前記隣接基地局と前記特定端末との間のチャネル情報を周期的又は非周期的に生成するステップを更に含むことを特徴とする請求項９に記載の隣接基地局の動作方法。
【請求項１２】
前記特定端末によって引き起こされる干渉を前記隣接基地局が認知するステップを更に含み、
前記フィードバックメッセージを生成するステップは、前記認知された干渉に応じて前記フィードバックメッセージを生成するステップであるか、又は
前記フィードバックメッセージを提供するステップは、前記認知された干渉に応じて前記フィードバックメッセージを提供するステップであることを特徴とする請求項９に記載の隣接基地局の動作方法。
【請求項１３】
前記特定端末によって引き起こされる干渉を前記隣接基地局が認知するステップは、前記特定端末から前記隣接基地局に送信された信号に対する信号対干渉プラス雑音比（ＳＩＮＲ）、パケットエラー率、及びビットエラー率のうちの少なくとも１つに基づいて前記隣接基地局による干渉を認知するステップであるか、又は
予め決定された特定レベルと前記対象端末による干渉との比較結果に基づいて前記対象端末による干渉を認知するステップであることを特徴とする請求項１２に記載の隣接基地局の動作方法。
【請求項１４】
前記サービング基地局は、前記隣接基地局と前記特定端末との間のチャネル情報と、前記隣接基地局と前記対象端末との間のチャネル情報と、に基づいて干渉制御を実行することを特徴とする請求項９に記載の隣接基地局の動作方法。
【請求項１５】
請求項１乃至８のいずれか一項に記載の対象端末の動作方法を動作させるためのプログラムが記録されたことを特徴とするコンピュータ読み取り可能な記録媒体。
【請求項１６】
サービング基地局によってサービングされる対象端末であって、
前記サービング基地局と前記対象端末との間のチャネル情報を周期的又は非周期的に生成するチャネル測定部と、
前記サービング基地局と前記対象端末との間のチャネル情報と、隣接基地局と前記対象端末との間のチャネル情報と、を隣接基地局が把握するために用いられるフィードバックメッセージを生成するメッセージ生成部と、
前記隣接基地局に前記フィードバックメッセージを提供するメッセージ提供部とを備え、
前記メッセージ生成部は、前記サービング基地局と前記対象端末との間のチャネル情報とプリアンブル又はパイロット信号とを結合して前記フィードバックメッセージを生成するか、又は
前記サービング基地局と前記対象端末との間のチャネル情報をリファレンス信号に加工することによって前記フィードバックメッセージを生成し、
前記メッセージ提供部は、共有チャネル又はランダムアクセスチャネルを用いて前記フィードバックメッセージを提供することを特徴とする対象端末。
【請求項１７】
前記隣接基地局による干渉を認知する干渉認知部を更に備え、
前記メッセージ生成部は、前記認知された干渉に応じて前記フィードバックメッセージを生成するか、又は
前記メッセージ提供部は、前記認知された干渉に応じて前記フィードバックメッセージを提供することを特徴とする請求項１６に記載の対象端末。
【発明の詳細な説明】
【技術分野】
【０００１】
本発明は、干渉による問題を解決するための技術に関し、より詳細には、フェムトセル及びマクロセルのような少なくとも２つのセルが互いに近接した場合、２つのセルの間で発生する干渉による有害な影響を弱めるか又は克服する技術に関する。
【背景技術】
【０００２】
近年、マルチセル環境の通信システムに対する関心が高まっている。ここで、マルチセル環境の通信システムは、２つ以上のマクロセルを含んでもよく、フェムト基地局、ピコ基地局などを含む小型セルやマクロセルを含んでもよい。
【０００３】
小型セルの一例として、フェムト基地局を含むフェムトセル及びマクロセルを含む通信システムを仮定する。このとき、フェムトセルのカバレッジに属する端末は、一般的に近接した位置にあるフェムト基地局によってサービングされるため、高い送信率を達成できる。但し、マクロセルがフェムトセルの全て又は一部を含む場合、マクロセルとフェムトセルとの間には干渉が発生することがあり、このような干渉はマクロセル及びフェムトセルの両方に良くない問題を引き起こす。
【０００４】
マクロセルとフェムトセルとの間で発生する干渉による問題を解決することは重要な問題である。特に、マクロセルとフェムトセルとの間で発生する干渉による問題を解決するために干渉制御に関連する技術が開発されている。ここで、干渉制御に関連する技術は、最適のリソーススケジューリング、送信電力制御（代表的に、動的スペクトル管理（Ｄｙｎａｍｉｃ  Ｓｐｅｃｔｒｕｍ  Ｍａｎａｇｅｍｅｎｔ）がある）、干渉整列（Ｉｎｔｅｒｆｅｒｅｎｃｅ  Ａｌｉｇｎｍｅｎｔ）、干渉雑音化（ＩＴＮ）、干渉中和、マルチアンテナ送信などの様々な形態で具現化される。
【０００５】
このような干渉制御を適切に実行するためには、マクロセル及びフェムトセルがチャネル情報を適切に共有しなければならない。しかし、マクロセル及びフェムトセルがチャネル情報を適切に共有することは、通信システムのオーバーヘッドを増加させるなど、異なる問題を発生させ得る。
【発明の概要】
【発明が解決しようとする課題】
【０００６】
本発明は、上記従来の問題点に鑑みてなされたものであって、本発明の目的は、干渉制御を適切に実行するために、サービング基地局によってサービングされる対象端末とその動作方法及びその方法を実行させるためのプログラムが記録されたコンピュータ読み取り可能な記録媒体、対象端末をサービングするサービング基地局と隣接して特定端末をサービングする隣接基地局の動作方法、を提供することにある。
【課題を解決するための手段】
【０００７】
上記目的を達成するためになされた本発明による対象端末の動作方法は、サービング基地局によってサービングされる対象端末の動作方法であって、前記サービング基地局と前記対象端末との間のチャネル情報と、隣接基地局と前記対象端末との間のチャネル情報と、を前記隣接基地局が把握するために用いられるフィードバックメッセージを生成するステップと、前記隣接基地局に前記フィードバックメッセージを提供するステップとを有し、前記フィードバックメッセージを生成するステップは、前記サービング基地局と前記対象端末との間のチャネル情報とプリアンブル又はパイロット信号とを結合して前記フィードバックメッセージを生成するステップであるか、又は、前記サービング基地局と前記対象端末との間のチャネル情報をリファレンス信号に加工することによって前記フィードバックメッセージを生成するステップであることを特徴とする。
前記フィードバックメッセージを提供するステップは、共有チャネル又はランダムアクセスチャネルを用いて前記フィードバックメッセージを提供するステップであることが好ましい。
前記サービング基地局と前記対象端末との間のチャネル情報を周期的又は非周期的に生成するステップを更に含むことが好ましい。
前記隣接基地局によって引き起こされる干渉を前記対象端末が認知するステップを更に含み、前記フィードバックメッセージを生成するステップは、前記認知された干渉に応じて前記フィードバックメッセージを生成するステップであるか、又は前記フィードバックメッセージを提供するステップは、前記認知された干渉に応じて前記フィードバックメッセージを提供するステップであることが好ましい。
前記隣接基地局によって引き起こされる干渉を前記対象端末が認知するステップは、前記サービング基地局から受信した信号に対する信号対干渉プラス雑音比（ＳＩＮＲ）、パケットエラー率、及びビットエラー率のうちの少なくとも１つに基づいて前記隣接基地局による干渉を認知するステップであることが好ましい。
前記隣接基地局によって引き起こされる干渉を前記対象端末が認知するステップは、予め決定された特定レベルと前記隣接基地局による干渉との比較結果に基づいて前記隣接基地局による干渉を認知するステップであることが好ましい。
前記サービング基地局、前記対象端末、及び前記隣接基地局は、時分割複信（ＴＤＤ）方式によって作動し、前記隣接基地局と前記対象端末との間のチャネル情報は、上りリンク及び下りリンクのそれぞれで同一なものと見なされることが好ましい。
前記フィードバックメッセージは、前記隣接基地局が干渉制御を実行するために用いられることが好ましい。
【０００８】
上記目的を達成するためになされた本発明による隣接基地局の動作方法は、対象端末をサービングするサービング基地局と隣接し、特定端末をサービングする隣接基地局の動作方法であって、前記隣接基地局と前記特定端末との間のチャネル情報と、前記隣接基地局と前記対象端末との間のチャネル情報と、を前記対象端末が把握するために用いられるフィードバックメッセージを生成するステップと、前記対象端末に前記フィードバックメッセージを提供するステップと、を有し、前記対象端末は、前記フィードバックメッセージに基づいて把握される、前記隣接基地局と前記特定端末との間のチャネル情報と、前記隣接基地局と前記対象端末との間のチャネル情報と、を前記サービング基地局に伝送し、前記フィードバックメッセージを生成するステップは、前記隣接基地局と前記特定端末との間のチャネル情報とプリアンブル又はパイロット信号とを結合して前記フィードバックメッセージを生成するステップであるか、又は前記隣接基地局と前記特定端末との間のチャネル情報をリファレンス信号に加工することによって前記フィードバックメッセージを生成するステップであることを特徴とする。
前記フィードバックメッセージを提供するステップは、共有チャネル又はランダムアクセスチャネルを用いて前記フィードバックメッセージを提供するステップであることが好ましい。
前記隣接基地局と前記特定端末との間のチャネル情報を周期的又は非周期的に生成するステップを更に含むことが好ましい。
前記特定端末によって引き起こされる干渉を前記隣接基地局が認知するステップを更に含み、前記フィードバックメッセージを生成するステップは、前記認知された干渉に応じて前記フィードバックメッセージを生成するステップであるか、又は前記フィードバックメッセージを提供するステップは、前記認知された干渉に応じて前記フィードバックメッセージを提供するステップであることが好ましい。
前記特定端末によって引き起こされる干渉を前記隣接基地局が認知するステップは、前記特定端末から前記隣接基地局に送信された信号に対する信号対干渉プラス雑音比（ＳＩＮＲ）、パケットエラー率、及びビットエラー率のうちの少なくとも１つに基づいて前記隣接基地局による干渉を認知するステップであるか、又は予め決定された特定レベルと前記対象端末による干渉との比較結果に基づいて前記対象端末による干渉を認知するステップであることが好ましい。
前記サービング基地局は、前記隣接基地局と前記特定端末との間のチャネル情報と、前記隣接基地局と前記対象端末との間のチャネル情報と、に基づいて干渉制御を実行することが好ましい。
【０００９】
上記目的を達成するためになされた本発明によるコンピュータ読み取り可能な記録媒体は、上述した対象端末の動作方法を動作させるためのプログラムが記録されたことを特徴とする。
【００１０】
上記目的を達成するためになされた本発明による対象端末は、サービング基地局によってサービングされる対象端末であって、前記サービング基地局と前記対象端末との間のチャネル情報を周期的又は非周期的に生成するチャネル測定部と、前記サービング基地局と前記対象端末との間のチャネル情報と、隣接基地局と前記対象端末との間のチャネル情報と、を隣接基地局が把握するために用いられるフィードバックメッセージを生成するメッセージ生成部と、前記隣接基地局に前記フィードバックメッセージを提供するメッセージ提供部とを備え、前記メッセージ生成部は、前記サービング基地局と前記対象端末との間のチャネル情報とプリアンブル又はパイロット信号とを結合して前記フィードバックメッセージを生成するか、又は前記サービング基地局と前記対象端末との間のチャネル情報をリファレンス信号に加工することによって前記フィードバックメッセージを生成し、前記メッセージ提供部は、共有チャネル又はランダムアクセスチャネルを用いて前記フィードバックメッセージを提供することを特徴とする。
前記隣接基地局による干渉を認知する干渉認知部を更に備え、前記メッセージ生成部は、前記認知された干渉に応じて前記フィードバックメッセージを生成するか、又は前記メッセージ提供部は、前記認知された干渉に応じて前記フィードバックメッセージを提供することが好ましい。
【発明の効果】
【００１１】
本発明によれば、２つのセル（例えば、マクロセルとフェムトセル）の間で発生する干渉による有害な影響を効果的に克服することができる。
また、本発明によれば、固有のフィードバックメッセージを用いることによって、基地局は干渉制御の実行に用いられる情報をより効果的に取得することができる。
また、本発明によれば、共有チャネル又はランダムアクセスチャネルを用いることによって、異なるセルはチャネル情報を円滑に共有することができる。
また、本発明によれば、パケットエラー率、ビットエラー率、及び信号対干渉プラス雑音比（ＳＩＮＲ）などに基づいて干渉の発生をより効果的に把握することができる。
【図面の簡単な説明】
【００１２】
【図１】下りリンクの場合におけるマクロ端末で発生するフェムト基地局による干渉の一例を示す図である。
【図２】上りリンクの場合における基地局で発生するマクロ端末による干渉の一例を示す図である。
【図３】下りリンクの場合における基地局と端末との間のチャネルの例を示す図である。
【図４】図３に示す端末１、基地局１、及び基地局２の動作方法の一例を示すフローチャートである。
【図５】上りリンクの場合における基地局と端末との間のチャネルの例を示す図である。
【図６】図５に示す端末１、端末２、基地局１、及び基地局２の動作方法の一例を示すフローチャートである。
【図７】本発明の一実施形態によるフレーム構造を示す。
【図８】本発明の他の実施形態によるフレーム構造を示す。
【図９】本発明の一実施形態による端末の構成を示すブロック図である。
【発明を実施するための形態】
【００１３】
本明細書で用いられる「基地局」はセルラー通信システムの一般的な基地局だけではなく様々な装置を含む。「基地局」は端末のような様々な受信機をサービングするために用いられる装置を含む。それだけではなく、本明細書で用いられる「端末」は、携帯電話、ノートブック、スマートフォンなどのようなモバイルデバイスを含み、更に基地局又は中継機からデータ信号を受信する様々な装置を備える。
【００１４】
また、本明細書で用いられる「フェムト基地局」は小型基地局の一例である。即ち、本発明の実施形態は「フェムト基地局」ではない他の小型基地局にも適用され得る。
【００１５】
以下、本発明を実施するための形態の具体例を、図面を参照しながら詳細に説明する。
【００１６】
図１は、下りリンクの場合におけるマクロ端末で発生するフェムト基地局による干渉の一例を示す図である。
【００１７】
図１を参照すると、マクロセルのカバレッジ１００は、フェムトセルのカバレッジ１１０を含む。ここで、マクロセルはマクロ基地局によって運用され、フェムトセルはフェムト基地局によって運用される。
【００１８】
下りリンクの場合において、マクロ基地局はマクロ端末に信号を送信し、フェムト基地局はフェムト端末に信号を送信する。ここで、「マクロ端末」はマクロ基地局によってサービングされる端末であり、「フェムト端末」はフェムト基地局によってサービングされる端末である。このとき、マクロ基地局及びフェムト基地局のそれぞれは同一の無線リソースを用いて対応する信号を送信することがある。
【００１９】
マクロ基地局及びフェムト基地局が同一の無線リソースを用いる場合、マクロセルとフェムトセルとの間には干渉が発生する。特に、図１に示すように、マクロ端末がフェムトセルのカバレッジ１１０に隣接した場合、フェムト基地局はマクロ端末に多量の干渉を与えるようになる。
【００２０】
即ち、図１に示すマクロ端末に関連し、実線はマクロ基地局からマクロ端末に送信される所望の信号を意味し、点線はフェムト基地局からマクロ端末に送信される望まない信号として干渉信号を意味する。干渉信号の強度が大きい場合、マクロ端末はマクロ基地局から所望の信号を充分に受信できない場合もある。
【００２１】
図２は、上りリンクの場合における基地局で発生するマクロ端末による干渉の一例を示す図である。
【００２２】
図２を参照すると、図１に示すものと同様に、マクロセルのカバレッジ２００はフェムトセルのカバレッジ２１０を含む。
【００２３】
上りリンクの場合において、マクロ端末はマクロ基地局に該当信号を送信し、フェムト端末もフェムト基地局に該当信号を送信する。このとき、マクロ端末及びフェムト端末が同一の無線リソースを用いる場合、フェムト基地局ではマクロ端末による干渉が発生する。特に、図２に示すように、マクロ端末がフェムトセルのカバレッジ２１０に隣接した場合、マクロ端末はフェムト基地局に多量の干渉を与えることになる。
【００２４】
即ち、図２のフェムト基地局に関連して、実線はフェムト端末からフェムト基地局に送信される所望の信号を意味し、点線はマクロ端末からフェムト基地局に送信される望まない信号として干渉信号を意味する。干渉信号の強度が大きい場合、フェムト基地局はフェムト端末から所望の信号を充分に受信できない場合もある。
【００２５】
図１及び図２に示すように、マクロ端末又はフェムト基地局で干渉が発生する場合、フェムト基地局又はマクロ基地局は干渉制御を実行する。例えば、フェムト基地局又はマクロ基地局は、最適のリソーススケジューリング、送信電力制御（代表的に、動的スペクトル管理がある）、干渉整列、干渉雑音化（ＩＴＮ）、干渉中和、マルチアンテナ送信などの干渉制御を実行してもよい。
【００２６】
図１及び図２を参照すると、フェムトセル及びマクロセルは異なるセルとして互いに独立的であるため、フェムトセル及びマクロセル内の様々な端末や基地局間の干渉を直接的に制御することは難しい。例えば、図１に示すように、下りリンクの場合において、マクロ端末１０４でフェムト基地局１１２による干渉が発生する場合、マクロ基地局１０２はフェムト基地局１１２を直接制御することは難しい。それだけではなく、フェムト基地局１１２が干渉制御を実行するためにはマクロ端末１０４に関連する様々なチャネルで情報を把握しなければならないが、このような情報を把握することは多くのオーバーヘッドを発生させることになる。
【００２７】
図３は、下りリンクの場合における基地局と端末との間のチャネルの例を示す図である。
【００２８】
図３を参照すると、下りリンクの場合において、基地局１と端末１との間のチャネルをＨ１１、基地局１と端末２との間のチャネルをＨ１２、基地局２と端末１との間のチャネルをＨ２１、基地局２と端末２との間のチャネルをＨ２２と仮定する。このとき、端末１に関連して、チャネルＨ１１は所望の信号に対応するチャネルであり、チャネルＨ２１は干渉信号に対応する干渉チャネルである。
【００２９】
端末１で発生する干渉による問題を解決するために、基地局２は動的スペクトル管理のような干渉制御を実行してもよい。このとき、基地局２はチャネルＨ１１及びチャネルＨ２１を把握しなければならない。
【００３０】
基地局２がチャネルＨ１１及びチャネルＨ２１を把握する過程については図４を参照して詳述する。
【００３１】
図４は、図３に示す端末１、基地局１、及び基地局２の動作方法の一例を示すフローチャートである。
【００３２】
図４を参照すると、端末１は、基地局１と端末１との間のチャネルＨ１１を測定する（ステップＳ４１１）。即ち、端末１は基地局１から送信されたパイロット信号などを用いて周期的又は非周期的にチャネルＨ１１を測定する。
【００３３】
次に、端末１は測定された基地局１と端末１との間のチャネルＨ１１に基づいてチャネルＨ１１に対するチャネル情報を生成する（ステップＳ４１２）。このとき、チャネルＨ１１に対するチャネル情報はチャネルＨ１１に対する信号対干渉プラス雑音比（ＳＩＮＲ）に関連する情報などのようにチャネル品質に関連する情報を含んでもよい。
【００３４】
次に、端末１はチャネルＨ１１のチャネル情報を基地局１にフィードバックする（ステップＳ４１３）。このとき、端末１は既に周知のＣＱＩ（Ｃｈａｎｎｅｌ  Ｑｕａｌｉｔｙ  Ｉｎｆｏｒｍａｔｉｏｎ）フィードバック方式を用いてチャネルＨ１１のチャネル情報を基地局１にフィードバックしてもよい。
【００３５】
また、基地局１は、チャネルＨ１１のチャネル情報に基づいて、端末１で干渉が存在するか否かを判断する（ステップＳ４２１）。ここで、図４に示すものとは異なり、端末１も自ら干渉が存在するか否かを判断してもよい。
【００３６】
基地局１は、端末１における信号対干渉プラス雑音比（ＳＩＮＲ）、パケットエラー率（ＰＥＲ）、又はビットエラー率（ＢＥＲ）などに基づいて、端末１で干渉が存在するか否かを判断することができる。特に、基地局１は、端末１における信号対干渉プラス雑音比（ＳＩＮＲ）、パケットエラー率、又はビットエラー率などを特定のレベルと比較することによって、端末１で干渉が存在するか否かを判断してもよい。例えば、端末１における信号対干渉プラス雑音比（ＳＩＮＲ）が特定のレベルよりも小さいか、或いはパケットエラー率又はビットエラー率が特定のレベルよりも高い場合、端末１で干渉が存在すると判断する。
【００３７】
端末１で干渉が存在しない場合、端末１はステップＳ４１１〜ステップＳ４１３を繰り返す。但し、干渉が存在すると判断された場合、基地局１は端末１で干渉が発生したことを端末１に通知する（ステップＳ４２２）。
【００３８】
端末１は基地局１からの通知に応答して干渉が発生したことを認知する（ステップＳ４１４）。
【００３９】
次に、端末１は、干渉が発生したことを認知した場合、フィードバックメッセージを生成する（ステップＳ４１５）。ここで、フィードバックメッセージは、基地局１と端末１との間のチャネルＨ１１に対するチャネル情報、及び基地局２と端末１との間のチャネルＨ２１に対するチャネル情報を基地局２に通知するために用いられる。
【００４０】
特に、図７及び図８を参照して後に詳述するが、基地局２は、フィードバックメッセージだけを用いて基地局１と端末１との間のチャネルＨ１１に対するチャネル情報、及び基地局２と端末１との間のチャネルＨ２１に対するチャネル情報を把握することができる。このようなフィードバックメッセージは、次のような様々な種類の方式で生成され得る。
【００４１】
図３及び図４を参照すると、第１に、端末１は、基地局１と端末１との間のチャネルＨ１１に対するチャネル情報と、プリアンブル又はパイロット信号のような周知の信号を結合することによって、フィードバックメッセージを生成することができる。このとき、基地局２は、フィードバックメッセージに含まれる基地局１と端末１との間のチャネルＨ１１に対するチャネル情報を把握することができる。それだけではなく、基地局２はフィードバックメッセージを受信する過程において、フィードバックメッセージに含まれるプリアンブル又はパイロット信号のような周知の信号を用いて基地局２と端末１との間のチャネルＨ２１に対するチャネル情報を推定することができる。厳密に言うと、基地局２は、フィードバックメッセージを用いて基地局２から端末１へのチャネルに対するチャネル情報を推定するのではなく、端末１から基地局２へのチャネルに対するチャネル情報を推定する。但し、時分割複信（Ｔｉｍｅ  Ｄｉｖｉｓｉｏｎ  Ｄｕｐｌｅｘ：ＴＤＤ）システムにおいて、基地局２から端末１へのチャネルと端末１から基地局２へのチャネルは実質的に同一と見なしてもよい。従って、基地局２は、端末１から基地局２へのチャネルに対するチャネル情報を推定することによって、端末１から基地局２へのチャネルに対するチャネル情報を推定することを代替できる。
【００４２】
第２に、端末１は、基地局１と端末１との間のチャネルＨ１１に対するチャネル情報を加工することによってフィードバックメッセージを生成することができる。特に、端末１は、基地局１と端末１との間のチャネルＨ１１に対するチャネル情報をリファレンス信号に加工してもよい。
【００４３】
例えば、端末１は基地局１と端末１との間のチャネルＨ１１のＳＩＮＲと基地局１のセルＩＤに基づいて基地局１と端末１との間のチャネルＨ１１に対するチャネル情報をＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ）シーケンスのような直交（Ｏｒｔｈｏｇｏｎａｌ）リファレンス信号に加工してもよい。より具体的な例として、基地局１と端末１との間のチャネルＨ１１のＳＩＮＲが属する範囲に応じて、基地局１と端末１との間のチャネルＨ１１に対するチャネル情報は、互いに異なる直交リファレンス信号にマッピングされてもよい。このような場合、基地局２は、受信される直交リファレンス信号のパターンを確認することによって、基地局１と端末１との間のチャネルＨ１１に対するチャネル情報（より正確には、ＳＩＮＲの範囲）を把握することができる。それだけではなく、基地局２は、受信される直交リファレンス信号を用いて基地局２と端末１との間のチャネルＨ２１に対するチャネル情報を推定することができる。
【００４４】
上記で、端末１がフィードバックメッセージを生成する方法について２種類の例を説明した。但し、端末１は、上記で説明した例の他にも様々な方式によって、基地局２が基地局１と端末１との間のチャネルＨ１１に対するチャネル情報を把握すると同時に、基地局２と端末１との間のチャネルＨ２１に対するチャネル情報を把握できるようにフィードバックメッセージを生成してもよい。
【００４５】
次に、端末１は、生成されたフィードバックメッセージを基地局２に提供する（ステップＳ４１６）。このとき、端末１は、共有チャネルやランダムアクセスチャネルを用いてもよい。特に、ランダムアクセスチャネルが用いられる場合、端末１は衝突の発生に備えてフィードバックメッセージを直交リファレンス信号に加工してもよい。端末１が共有チャネル及びランダムアクセスチャネルを用いることについては、後に図７及び図８を参照して詳述する。
【００４６】
また、上記で説明したように、基地局２は、端末１から提供されたフィードバックメッセージに基づいて基地局２と端末１との間のチャネルＨ２１に対するチャネル情報を推定すると同時に、基地局１と端末１との間のチャネルＨ１１に対するチャネル情報を把握する（ステップＳ４３１）。
【００４７】
更に、基地局２は、基地局２と端末１との間のチャネルＨ２１に対するチャネル情報、及び基地局１と端末１との間のチャネルＨ１１に対するチャネル情報に基づいて、動的スペクトル管理などの様々な方式によって干渉制御を実行する（ステップＳ４３２）。
【００４８】
即ち、端末１は、ＳＩＮＲ、ＰＥＲ、ＢＥＲなどに基づいて効率的に干渉が発生したか否かを把握することができる。それだけではなく、端末１が基地局２と端末１との間のチャネルを別々に推定しないため、基地局１及び基地局２は必ずしも直交するパイロットを用いる必要がない。それだけではなく、基地局２は、１つのフィードバックメッセージを用いて、基地局２と端末１との間のチャネルＨ２１に対するチャネル情報、及び基地局１と端末１との間のチャネルＨ１１に対するチャネル情報を同時に把握することができるため、オーバーヘッドを最小化することができる。
【００４９】
図５は、上りリンクの場合における基地局と端末との間のチャネルの例を示す図である。
【００５０】
図５を参照すると、上りリンクの場合において、端末１と基地局１との間のチャネルをＨ１１、端末１と基地局２との間のチャネルをＨ１２、端末２と基地局１との間のチャネルをＨ２１、端末２と基地局２との間のチャネルをＨ２２であると仮定する。このとき、基地局２に関連して、チャネルＨ２２は所望の信号に対応するチャネルであり、チャネルＨ１２は干渉信号に対応する干渉チャネルである。
【００５１】
基地局２で発生する干渉による問題を解決するために、基地局１は動的スペクトル管理のような干渉制御を実行してもよい。このとき、基地局２はチャネルＨ１２及びチャネルＨ２２を把握しなければならない。
【００５２】
基地局２がチャネルＨ１２及びチャネルＨ２２を把握する過程については図６を参照して詳説する。
【００５３】
図６は、図５に示す端末１、端末２、基地局１、及び基地局２の動作方法の一例を示すフローチャートである。
【００５４】
図６を参照すると、基地局２は、端末２と基地局２との間のチャネルＨ２２を測定する（ステップＳ６１１）。このとき、例えば、基地局２は、端末２から送信されたサウンディングパケットを用いてチャネルＨ２２を測定する。ここで、チャネルＨ２２の測定はチャネルＨ２２の利得又はチャネルＨ２２に対するＳＩＮＲの測定を含んでもよい。
【００５５】
また、端末２は、使用チャネルの品質に関連する端末２のＳＩＮＲを基地局２に報告する（ステップＳ６２１）。このとき、端末２は既に周知のＣＱＩフィードバック方式によって端末２のＳＩＮＲを基地局２に報告してもよい。
【００５６】
次に、基地局２は、測定されたチャネルＨ２２のチャネル情報（例えば、ＳＩＮＲ）に基づいて基地局２に干渉が存在するか否かを判断する（ステップＳ６１２）。即ち、基地局２は、基地局２へのＳＩＮＲ、ＰＥＲ、ＢＥＲなどに基づいて基地局２で干渉が存在するか否かを判断する。
【００５７】
基地局２で干渉が存在しない場合、基地局２はステップ６１１及びステップ６１２を繰り返す。但し、干渉が存在する場合、基地局２はフィードバックメッセージを生成する（ステップＳ６１３）。ここで、フィードバックメッセージは、基地局２と端末２との間のチャネル情報と、基地局２と端末１と間のチャネル情報を端末１が把握するために用いられる。
【００５８】
例えば、基地局２は、チャネルＨ２２のチャネル情報とパイロット信号又はプリアンブルと共に周知の信号を結合してフィードバックメッセージを生成する。それだけではなく、上述したものと同様に、基地局２は、チャネルＨ２２のチャネル情報をＣＡＺＡＣシーケンスのようなリファレンス信号に加工することによって、フィードバックメッセージを生成してもよい。その他にも、フィードバックメッセージを生成する方法は様々である。
【００５９】
次に、基地局２は、生成されたフィードバックメッセージを共有チャネル又はランダムアクセスチャネルを用いて端末１に提供する（ステップＳ６１４）。
【００６０】
このとき、端末１は、フィードバックメッセージからチャネルＨ２２のチャネル情報を把握し、フィードバックメッセージを用いてチャネルＨ１２のチャネル情報を推定する（ステップＳ６３１）。即ち、端末１は、フィードバックメッセージからチャネルＨ２２のチャネル情報を把握することができ、フィードバックメッセージに含まれるパイロット信号又はプリアンブルを用いてチャネルＨ１２のチャネル情報を推定することができる。それだけではなく、端末１は、リファレンス信号の形態を有するフィードバックメッセージからチャネルＨ１２のチャネル情報を推定すると同時に、チャネルＨ２２のチャネル情報を把握することができる。
【００６１】
次に、端末１はチャネルＨ１２のチャネル情報及びチャネルＨ２２のチャネル情報を基地局１に送信する（ステップＳ６３２）。このとき、基地局１は、チャネルＨ１２のチャネル情報及びチャネルＨ２２のチャネル情報に基づいて干渉制御を実行する（ステップＳ６３３）。
【００６２】
図７は、本発明の一実施形態によるフレーム構造を示す。
【００６３】
図７を参照すると、共有チャネルはフィードバックメッセージ７４０に対応して使用される。ここで、共有サブフレーム７３０は共有チャネルのためのサブフレームを示す。
【００６４】
全体フレーム７００は、下りリンクサブフレーム７１０及び上りリンクサブフレーム７２０を含み、更に共有サブフレーム７２０を含む。共有サブフレーム７３０は、端末又は基地局（図示せず）がフィードバックメッセージ７４０を送信するために用いられる。
【００６５】
即ち、端末又は基地局は、送信しようとするチャネルのチャネル情報としてＳＩＮＲと該当セルのＩＤを「メッセージ」項目に挿入し、周知の信号として「プリアンブル」を「メッセージ」項目に結合してフィードバックメッセージ７４０を生成する。そして、端末又は基地局は、共有サブフレーム７３０の一部又は全てを用いてフィードバックメッセージ７４０を送信する。
【００６６】
図８は、本発明の他の実施形態によるフレーム構造を示す。
【００６７】
図８を参照すると、ランダムアクセス（Ｒａｎｄｏｍ  Ａｃｃｅｓｓ：ＲＡ）チャネル８３０はフィードバックメッセージに対応して使用される。
【００６８】
全体フレーム８００は、下りリンクサブフレーム８１０及び上りリンクサブフレーム８２０を含み、更にランダムアクセスチャネル８３０を含む。ランダムアクセスチャネル８３０は、様々な種類の装置によって用いられ得、特に端末又は基地局（図示せず）がフィードバックメッセージを送信するために用いられてもよい。
【００６９】
上述したように、端末又は基地局が送信しようとするチャネル情報及びセルＩＤに基づいてＣＡＺＡＣシーケンスのようなリファレンス信号８４０を生成したと仮定する。このとき、端末又は基地局によって生成されたリファレンス信号８４０は他の装置によって生成されたリファレンス信号と直交するため、端末又は基地局は衝突することなくチャネル情報を有効に伝送できる。
【００７０】
このとき、リファレンス信号を受信する装置（図示せず）は、リファレンス信号に対応するチャネル情報を抽出することができ、リファレンス信号８４０を用いてリファレンス信号の送信経路に対応するチャネルのチャネル情報を推定することができる。
【００７１】
図９は、本発明の一実施形態による端末の構成を示すブロック図である。
【００７２】
図９を参照すると、サービング基地局によってサービングされる端末９００は、チャネル測定部９１０、干渉認知部９２０、メッセージ生成部９３０、及びメッセージ提供部９４０を備える。
【００７３】
チャネル測定部９１０は、サービング基地局と端末９００との間のチャネル情報を周期的又は非周期的に生成する。
【００７４】
干渉認知部９２０は、隣接基地局（図示せず）による干渉を認知する。干渉認知部９２０は、ＳＩＮＲ、ＰＥＲ、ＢＥＲなどの様々なファクターなどを考慮して隣接基地局による干渉を認知してもよく、サービング基地局から送信された干渉が発生したことを通知する報告に応じて隣接基地局による干渉を認知してもよい。
【００７５】
メッセージ生成部９３０は、サービング基地局と端末との間のチャネル情報と、隣接基地局と端末との間のチャネル情報を隣接基地局が把握するために用いられるフィードバックメッセージを生成する。例えば、メッセージ生成部９３０は、サービング基地局と端末との間のチャネル情報及び周知の信号を結合してフィードバックメッセージを生成するか、又はサービング基地局と端末との間のチャネル情報をリファレンス信号に加工することによってフィードバックメッセージを生成してもよい。
【００７６】
メッセージ提供部９４０は、隣接基地局にフィードバックメッセージを提供する。このとき、メッセージ提供部９４０は、共有チャネル又はランダムアクセスチャネルを用いてフィードバックメッセージを提供してもよい。
【００７７】
図９に示す端末９００に対しては、図１〜図８を参照して説明した内容をそのまま適用することができるため、その詳説は省略する。
【００７８】
本発明による基地局又は端末の動作方法は、多様なコンピュータ手段を介して様々な処理を実行することができるプログラム命令の形態で具現され、コンピュータ読み取り可能な記録媒体に記録することができる。コンピュータ読み取り可能な記録媒体は、プログラム命令、データファイル、データ構造などの単独又は組み合わせたものを含んでもよい。記録媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで作動するように構成されてもよい。
【００７９】
上述したように、本発明を限定された実施形態と図面とによって説明したが、本発明は、上記の実施形態に限定されることなく、本発明が属する分野における通常の知識を有する者であれば、このような実施形態から多様な修正及び変形をすることが可能である。従って、本発明の範囲は、開示された実施形態に限定されて定められるものではなく、特許請求の範囲だけではなく特許請求の範囲と均等なものなどによって定められる。
【符号の説明】
【００８０】
１００、２００、３００、５００    マクロセルのカバレッジ
１０２、２０２    マクロ基地局
１０４、２０４    マクロ端末
１１０、２１０、３１０、５１０    フェムトセルのカバレッジ
１１２、２１２    フェムト基地局
１１４、２１４    フェムト端末
７００、８００    全体フレーム
７１０、８１０    下りリンクサブフレーム
７２０、８２０    上りリンクサブフレーム
８３０    ＲＡチャネル
７３０    共有サブフレーム
７４０    フィードバックメッセージ
８４０    リファレンス信号
９００    端末
９１０    チャネル測定部
９２０    干渉認知部
９３０    メッセージ生成部
９４０    メッセージ提供部
【図１】
0005681993.tif 000002
【図２】
0005681993.tif 000003
【図３】
0005681993.tif 000004
【図４】
0005681993.tif 000005
【図５】
0005681993.tif 000006
【図６】
0005681993.tif 000007
【図７】
0005681993.tif 000008
【図８】
0005681993.tif 000009
【図９】
0005681993.tif 000010